(57)【要約】  本発明の画像形成装置は、ユニット（１８）と高圧基板（３６）と接続部材（４３）と保持部材（４４）とを備える。接続部材（４３）は、高圧基板（３６）からユニット（１８）に至る電流経路中に配置される。保持部材（４４）は、接続部材（４３）を保持する。接続部材（４３）は、バネ端子（６８）と突出部（６９）とを備える。突出部（６９）は、バネ端子（６８）から外径側に向かって突出する。保持部材（４４）は、ハウジング（８３）と係止部（９１）とを備える。ハウジング（８３）は、バネ端子（６８）を収容する。係止部（９１）は、ハウジング（８３）と一体に設けられる。係止部（９１）が突出部（６９）を係止することで、バネ端子（６８）の軸心方向の移動が規制される。
2016056474.tif 000002
【特許請求の範囲】
【請求項１】
記録媒体に対する画像形成処理に用いられるユニットと、
前記ユニットに高圧電流を供給する高圧基板と、
前記高圧基板から前記ユニットに至る電流経路中に配置される接続部材と、
前記接続部材を保持する保持部材と、を備え、
前記接続部材は、
コイルバネで構成されるバネ端子と、
前記バネ端子から外径側に向かって突出する突出部と、を備え、
前記保持部材は、
前記バネ端子を収容するハウジングと、
前記ハウジングと一体に設けられる係止部と、を備え、
前記係止部が前記突出部を係止することで、前記バネ端子の軸心方向の移動が規制されることを特徴とする画像形成装置。
【請求項２】
前記バネ端子の一端部は、前記ユニットと、前記高圧基板と、前記高圧基板から前記ユニットに至る前記電流経路中に配置される他の接続部材と、のうちのいずれか一つと共に高圧接点を形成し、
前記突出部は、前記バネ端子の前記一端部とは反対側の端部から外径側に向かって突出していることを特徴とする請求項１に記載の画像形成装置。
【請求項３】
前記バネ端子は、
圧縮可能なコイルバネで構成される大径部と、
密着巻きのコイルバネで構成され、前記大径部よりも外径が小さい小径部と、を備えていることを特徴とする請求項１に記載の画像形成装置。
【請求項４】
前記突出部は、前記係止部によって係止される係止位置と、前記係止部によって係止されない係止解除位置と、の間で前記バネ端子を中心に回転可能に設けられていることを特徴とする請求項１に記載の画像形成装置。
【請求項５】
トナー像が一次転写される像担持体を更に備え、
前記ユニットは、前記像担持体上のトナー像を記録媒体に二次転写する二次転写ユニットであることを特徴とする請求項１に記載の画像形成装置。
【請求項６】
前記突出部は、
前記バネ端子から前記バネ端子の接線方向に沿って延びる第１直線部と、
前記第１直線部から半円弧状に折り返される折返部と、
前記折返部から前記折返部の接線方向に沿って延びる第２直線部と、を備えていることを特徴とする請求項１に記載の画像形成装置。
【請求項７】
前記第１直線部と前記第２直線部は、互いに平行に設けられ、
前記折返部の外径は、前記バネ端子のうちの前記突出部が突出する部分の外径よりも小さいことを特徴とする請求項６に記載の画像形成装置。
【請求項８】
前記係止部は、前記ハウジングから外径側に向かって突出していることを特徴とする請求項１に記載の画像形成装置。
【発明の詳細な説明】
【技術分野】
【０００１】
本発明は、電子写真方式の画像形成装置に関する。
【背景技術】
【０００２】
従来、電子写真方式の画像形成装置には、感光体ドラムユニット、現像ユニット、転写ユニット等の各種ユニットが設けられており、これらのユニットを用いて記録媒体に対する画像形成処理が行われている。【０００３】
例えば、記録媒体に対する画像形成処理に用いられるユニットと、ユニットに高圧電流を供給する高圧基板と、高圧基板とユニットを接続する接続部材と、接続部材を保持する保持部材と、を備えた画像形成装置が知られている（特許文献１参照）。
【先行技術文献】
【特許文献】
【０００４】
【特許文献１】特開２０１３−２５０３２６号公報
【発明の概要】
【発明が解決しようとする課題】
【０００５】
上記のような構成の画像形成装置においては、接続部材に設けられたバネ端子が保持部材に設けられたハウジングに収容される場合がある。しかしながら、ただ単にバネ端子がハウジングに収容されているだけでは、接続部材の保持部材への組み付け時や画像形成装置のメンテナンス時などに、バネ端子がハウジングから脱落したりハウジングに対するバネ端子の位置がずれたりする恐れがある。【０００６】
一方で、接続部材や保持部材とは別体の抜け止め部材（例えば、抜け止めキャップ）によってハウジングからのバネ端子の脱落やハウジングに対するバネ端子の位置ずれを抑制すると、部品点数が増加し、画像形成装置の構成が複雑化してしまう。【０００７】
そこで、本発明は上記の事情を考慮し、ハウジングからのバネ端子の脱落やハウジングに対するバネ端子の位置ずれを簡易な構成によって抑制することを目的とする。
【課題を解決するための手段】
【０００８】
本発明の画像形成装置は、ユニットと高圧基板と接続部材と保持部材とを備える。前記ユニットは、記録媒体に対する画像形成処理に用いられる。前記高圧基板は、前記ユニットに高圧電流を供給する。前記接続部材は、前記高圧基板から前記ユニットに至る電流経路中に配置される。前記保持部材は、前記接続部材を保持する。前記接続部材は、バネ端子と突出部とを備える。前記バネ端子は、コイルバネで構成される。前記突出部は、前記バネ端子から外径側に向かって突出する。前記保持部材は、ハウジングと係止部とを備える。前記ハウジングは、前記バネ端子を収容する。前記係止部は、前記ハウジングと一体に設けられる。前記係止部が前記突出部を係止することで、前記バネ端子の軸心方向の移動が規制される。
【発明の効果】
【０００９】
本発明によれば、ハウジングからのバネ端子の脱落やハウジングに対するバネ端子の位置ずれを簡易な構成によって抑制することが可能となる。
【図面の簡単な説明】
【００１０】
【図１】本発明の一実施形態に係るカラープリンターの構成の概略を示す模式図である。
【図２】本発明の一実施形態に係るカラープリンターにおいて、接続機構及びその周辺を示す断面図である。
【図３】本発明の一実施形態に係るカラープリンターにおいて、第１、第２バネ端子及びその周辺を示す断面図である。
【図４】本発明の一実施形態に係るカラープリンターにおいて、第２接続部材及び第２保持部材を示す分解斜視図である。
【図５】本発明の一実施形態に係るカラープリンターにおいて、第２接続部材を示す斜視図である。
【図６】本発明の一実施形態に係るカラープリンターにおいて、第２接続部材及び第２保持部材を示す斜視図である。
【図７】本発明の一実施形態に係るカラープリンターにおいて、第２バネ端子及びその周辺を示す前方からの斜視図である。
【図８】本発明の一実施形態に係るカラープリンターにおいて、第２バネ端子及びその周辺を示す後方からの斜視図である。
【図９】本発明の一実施形態に係るカラープリンターにおいて、第２バネ端子及びその周辺を示す断面図である。
【発明を実施するための形態】
【００１１】
まず、図１を用いてカラープリンター１（画像形成装置）の全体の構成について説明する。以下、説明の便宜上、図１における紙面手前側をカラープリンター１の前側とする。各図に適宜付される矢印Ｆｒ、Ｒｒ、Ｌ、Ｒ、Ｕ、Ｌｏは、それぞれカラープリンター１の前側、後側、左側、右側、上側、下側を示している。
【００１２】
カラープリンター１は、箱型形状のプリンター本体２（装置本体）を備えており、プリンター本体２の下部には用紙（記録媒体）を収納した給紙カセット３が設けられ、プリンター本体２の上部には排紙トレイ４が設けられている。
【００１３】
プリンター本体２の中央部には、中間転写ユニット５が設けられている。中間転写ユニット５には、複数のローラー間に架設される中間転写ベルト６（像担持体）が設けられ、中間転写ベルト６の下方には、レーザー・スキャニング・ユニット（ＬＳＵ）で構成される露光装置７が配置されている。中間転写ベルト６の下側には、４個の画像形成部８がトナーの色（例えば、マゼンタ、シアン、イエロー、ブラックの４色）ごとに設けられている。各画像形成部８には、感光体ドラム９が回転可能に設けられており、感光体ドラム９の周囲には、帯電器１０と、現像器１１と、一次転写部１２と、クリーニング装置１３と、除電器１４とが、一次転写のプロセス順に配置されている。現像器１１の上方には、各画像形成部８と対応するトナーコンテナ１５が、トナーの色（例えば、マゼンタ、シアン、イエロー、ブラックの４色）ごとに設けられている。
【００１４】
プリンター本体２の右側部には、用紙の搬送経路１６が上下方向に設けられている。搬送経路１６の上流端には給紙部１７が設けられている。搬送経路１６の中流部には中間転写ベルト６の右端側に二次転写ユニット１８（ユニット）が設けられている。二次転写ユニット１８は、二次転写ローラー１９を備えている。搬送経路１６の下流部には定着装置２０が設けられ、搬送経路１６の下流端には排紙口２１が設けられている。
【００１５】
次に、このような構成を備えたカラープリンター１における用紙に対する画像形成処理について説明する。
【００１６】
カラープリンター１に電源が投入されると、各種パラメーターが初期化され、定着装置２０の温度設定等の初期設定が実行される。そして、カラープリンター１に接続されたコンピューター等から画像データが入力され、印刷開始の指示がなされると、以下のようにして用紙に対する画像形成処理が行われる。
【００１７】
まず、帯電器１０によって感光体ドラム９の表面が帯電された後、露光装置７からのレーザー光（矢印Ｐ参照）により感光体ドラム９の表面に静電潜像が形成される。次に、この静電潜像を、トナーコンテナ１５から供給されるトナーによって現像器１１がトナー像に現像する。このトナー像は、一次転写部１２において中間転写ベルト６の表面に一次転写される。以上の動作を各画像形成部８が順次繰り返すことによって、中間転写ベルト６上にフルカラーのトナー像が形成される。なお、感光体ドラム９上に残留したトナー及び電荷は、クリーニング装置１３及び除電器１４によって除去される。
【００１８】
一方、給紙部１７によって給紙カセット３又は手指しトレイ（図示せず）から取り出された用紙は、二次転写ユニット１８へと搬送され、二次転写ユニット１８の二次転写ローラー１９によって中間転写ベルト６上のフルカラーのトナー像が用紙に二次転写される。トナー像を二次転写された用紙は、搬送経路１６を下流側へと搬送されて定着装置２０に進入し、この定着装置２０において用紙にトナー像が定着される。トナー像が定着された用紙は、排紙口２１から排紙トレイ４上に排出される。
【００１９】
次に、プリンター本体２について更に説明する。
【００２０】
図２に示されるように、プリンター本体２の後部には後側フレーム３２が立設されている。後側フレーム３２には上下一対のフック穴３３が設けられ、上側のフック穴３３の下側には貫通穴３４が設けられている。
【００２１】
次に、プリンター本体２内に設置される高圧基板３６について説明する。
【００２２】
図２に示されるように、高圧基板３６は、プリンター本体２の後側フレーム３２の後方に立設されている。高圧基板３６は、外部電源に接続された電源基板（図示せず）と接続されている。高圧基板３６の下端部には、二次転写トランス３７が設けられている。
【００２３】
次に、高圧基板３６と二次転写ユニット１８を電気的に接続する接続機構３９について説明する。
【００２４】
図２に示されるように、接続機構３９は、第１接続部材４０（他の接続部材）と、第１接続部材４０を保持する第１保持部材４１と、第１保持部材４１の後方に配置される連結部材４２と、第１接続部材４０の後方に配置される第２接続部材４３（接続部材）と、第２接続部材４３を保持する第２保持部材４４（保持部材）と、を備えている。
【００２５】
第１接続部材４０は、例えば、導電性の金属線によって形成されている。図２に示されるように、第１接続部材４０は、ユニット側バネ端子４６と、ユニット側バネ端子４６よりも後方に配置される第１バネ端子４８と、ユニット側バネ端子４６と第１バネ端子４８を接続する第１導線４７と、を備えている。
【００２６】
ユニット側バネ端子４６は、圧縮可能なコイルバネで構成されている。ユニット側バネ端子４６は、左右方向（図２の紙面奥行き方向）に延びている。ユニット側バネ端子４６は、二次転写ユニット１８に接触している。
【００２７】
図３等に示されるように、第１バネ端子４８は、前後方向に延びる軸心Ａの周りに設けられている。即ち、本実施形態では、第１バネ端子４８の軸心方向は、前後方向である。第１バネ端子４８は、第１大径部５０と、第１大径部５０の後方に第１大径部５０と連続して設けられる第１小径部５１と、を備えている。第１大径部５０は、密着巻きでないコイルバネ（各巻線部が離間しているコイルバネ）で構成されており、前後方向に圧縮可能である。第１小径部５１は、密着巻きのコイルバネ（各巻線部が接触しているコイルバネ）で構成されており、前後方向に圧縮不能である。第１小径部５１は、第１大径部５０よりも外径が小さい。
【００２８】
第１保持部材４１は、例えば、電気的な絶縁性の高い樹脂によって形成されている。図２に示されるように、第１保持部材４１は、第１保持部材本体５３と、第１保持部材本体５３から上下方向に沿って下方に延びる保持板部５５と、保持板部５５の下端部から前後方向に沿って後方に延びるボス部５６と、を備えている。
【００２９】
図３に示されるように、保持板部５５には、第１バネ端子４８の第１大径部５０の前端部５０Ｆｒが当接している。ボス部５６の外径は、第１バネ端子４８の第１大径部５０の外径よりも小さく、第１バネ端子４８の第１小径部５１の外径よりも大きい。ボス部５６の外周には、第１バネ端子４８の第１大径部５０が装着されている。ボス部５６の後端面（先端面）には、第１小径部用当接部５７が設けられている。第１小径部用当接部５７には、第１バネ端子４８の第１小径部５１の前端部５１Ｆｒが当接している。
【００３０】
連結部材４２は、例えば、電気的な絶縁性の高い樹脂によって形成されている。図２に示されるように、連結部材４２は、連結部材本体５９と、連結部材本体５９から前後方向に沿って後方に延びる円筒状の第１ハウジング６０と、を備えている。
【００３１】
連結部材本体５９は、上下一対のフック６１を備えている。各フック６１は、プリンター本体２の後側フレーム３２に設けられた各フック穴３３に係合している。これにより、プリンター本体２の後側フレーム３２に連結部材４２が固定されている。
【００３２】
第１ハウジング６０は、プリンター本体２の後側フレーム３２に設けられた貫通穴３４を貫通している。図３に示されるように、第１ハウジング６０は、第１大径部用挿入部６２と、第１大径部用挿入部６２よりも後方に設けられる第１小径部用挿入部６３と、第１大径部用挿入部６２と第１小径部用挿入部６３の間に設けられる第１大径部用当接部６４と、を備えている。第１大径部用挿入部６２には、第１バネ端子４８の第１大径部５０及び第１保持部材４１のボス部５６が部分的に挿入されている。第１大径部用挿入部６２の前端部には、開口部６５が形成されている。第１小径部用挿入部６３には、第１バネ端子４８の第１小径部５１が部分的に挿入されている。第１小径部用挿入部６３は、第１大径部用挿入部６２よりも内径が小さい。第１大径部用当接部６４は、後側（第１小径部用挿入部６３側）に向かって徐々に縮径している。第１大径部用当接部６４には、第１バネ端子４８の第１大径部５０の後端部５０Ｒｒが当接している。
【００３３】
第２接続部材４３は、例えば、導電性の金属線によって形成されている。図４に示されるように、第２接続部材４３は、基板側バネ端子６６と、基板側バネ端子６６よりも前方に配置される第２バネ端子６８（バネ端子）と、第２バネ端子６８の後上方に配置される突出部６９と、基板側バネ端子６６と突出部６９を接続する第２導線６７と、を備えている。
【００３４】
基板側バネ端子６６は、圧縮可能なコイルバネで構成されている。基板側バネ端子６６は、前後方向に沿って延びている。図２に示されるように、基板側バネ端子６６は、高圧基板３６の二次転写トランス３７に接触している。
【００３５】
図３に示されるように、第２バネ端子６８は、第１接続部材４０の第１バネ端子４８と同様に、前後方向に延びる軸心Ａの周りに設けられている。即ち、本実施形態では、第２バネ端子６８の軸心方向は、前後方向である。第２バネ端子６８は、第１バネ端子４８と同軸上に配置されている。第２バネ端子６８は、第２大径部７０（大径部）と、第２大径部７０の前方に第２大径部７０と連続して設けられる第２小径部７１（小径部）と、を備えている。第２大径部７０は、密着巻きでないコイルバネ（各巻線部が離間しているコイルバネ）で構成されており、前後方向に圧縮可能である。第２小径部７１は、密着巻きのコイルバネ（各巻線部が接触しているコイルバネ）で構成されており、前後方向に圧縮不能である。第２小径部７１は、第２大径部７０よりも外径が小さい。第２小径部７１の前端部７１Ｆｒ（第２バネ端子６８の一端部）は、第１バネ端子４８の第１小径部５１の後端部５１Ｒｒと接触している。即ち、第２小径部７１の前端部７１Ｆｒは、第１バネ端子４８の第１小径部５１の後端部５１Ｒｒと共に高圧接点Ｂを形成している。
【００３６】
図５に示されるように、突出部６９は、Ｕ字状を成している。突出部６９は、第２大径部７０の後端部７０Ｒｒ（第２バネ端子６８の一端部とは反対側の端部）から外径側に向かって突出している。突出部６９は、第２大径部７０の後端部７０Ｒｒから第２大径部７０の接線方向に沿って右上方に延びる第１直線部７２と、第１直線部７２の右上端部から半円弧状に折り返される折返部７３と、折返部７３の右下端部から折返部７３の接線方向に沿って左下方に延びる第２直線部７４と、を備えている。第１直線部７２と第２直線部７４は、互いに略平行に設けられている。折返部７３の外径は、第２大径部７０（第２バネ端子６８のうちの突出部６９が突出する部分）の外径よりも小さい。
【００３７】
第２保持部材４４は、例えば、電気的な絶縁性の高い樹脂によって形成されている。図６に示されるように、第２保持部材４４は、左右方向に沿って延びる第２保持部材本体８０と、第２保持部材本体８０の上部に設けられる４個の端子保持部８１と、第２保持部材本体８０の右下隅部に設けられる基板側バネ端子用ハウジング８２と、第２保持部材本体８０の右端部に設けられる円筒状の第２ハウジング８３（ハウジング）と、第２ハウジング８３の後端部の右上方に配置される係止部９１と、を備えている。
【００３８】
第２保持部材本体８０の右端部には支持板部８４が設けられており、この支持板部８４の前側に第２接続部材４３の第２導線６７が配索されている。各端子保持部８１は、３個の端子収容部８５を備えており、各端子収容部８５には端子９０が収容されている。基板側バネ端子用ハウジング８２は、第２接続部材４３の基板側バネ端子６６を収容している。
【００３９】
図３に示されるように、第２ハウジング８３は、第２接続部材４３の第２バネ端子６８を収容している。第２ハウジング８３は、第２大径部用挿入部８６と、第２大径部用挿入部８６よりも前方に設けられる第２小径部用挿入部８７と、第２大径部用挿入部８６と第２小径部用挿入部８７の間に設けられる接続部８８と、を備えている。第２大径部用挿入部８６には、第２バネ端子６８の第２大径部７０が挿入されている。第２小径部用挿入部８７には、第２バネ端子６８の第２小径部７１が挿入されている。第２小径部用挿入部８７は、第２大径部用挿入部８６よりも内径が小さい。接続部８８は、前側（第２小径部用挿入部８７側）に向かって徐々に縮径している。図７に示されるように、第２ハウジング８３の前端部には、上下一対の突片８９が前方に向かって突設されている。
【００４０】
図８に示されるように、係止部９１は、第２ハウジング８３から外径側に向かって突出している。係止部９１の右方には連結部９２が設けられており、この連結部９２によって第２ハウジング８３と係止部９１が連結されている。係止部９１は、第２ハウジング８３及び連結部９２と一体に設けられている。係止部９１の左方には、係止部９１と隣接して着脱口９４が設けられている。
【００４１】
図９に示されるように、係止部９１は、第２接続部材４３の突出部６９の後側に配置されており、突出部６９を係止している。これにより、第２接続部材４３の第２バネ端子６８の前後方向の移動が規制されている。
【００４２】
上記のように構成されたカラープリンター１において、電源基板（図示せず）から高圧基板３６に供給された交流電流は、高圧基板３６の二次転写トランス３７によって直流変換及び高圧変換され、高圧電流となる。この高圧電流は、図２に矢印Ｉで示されるように、高圧基板３６の二次転写トランス３７から第１、第２接続部材４０、４３を介して二次転写ユニット１８に供給される。このように、第１、第２接続部材４０、４３は、高圧基板３６から二次転写ユニット１８に至る電流経路中に配置されている。
【００４３】
次に、第２保持部材４４の第２ハウジング８３に対して第２接続部材４３の第２バネ端子６８を着脱する方法について、図８を用いて説明する。
【００４４】
第２ハウジング８３に第２バネ端子６８を装着する際には、第２ハウジング８３に第２バネ端子６８を挿入し、第２保持部材４４の着脱口９４に第２接続部材４３の突出部６９を配置する。この状態では、第２保持部材４４の係止部９１に突出部６９が係止されていない。この時の突出部６９の位置（図８の二点鎖線参照）を、「係止解除位置」と称する。
【００４５】
次に、図８に矢印Ｃで示されるように、第２バネ端子６８の軸心Ａを中心に突出部６９を回転させる。これにより、突出部６９が係止部９１の前側に移動し、係止部９１によって係止される。この時の突出部６９の位置（図８の点線参照）を、「係止位置」と称する。
【００４６】
一方で、第２ハウジング８３から第２バネ端子６８を取り外す際には、係止位置から係止解除位置まで第２バネ端子６８の軸心Ａを中心に突出部６９を回転させ、第２ハウジング８３から第２バネ端子６８を抜き出す。
【００４７】
本実施形態ではこのように、係止部９１によって係止される係止位置と、係止部９１によって係止されない係止解除位置と、の間で第２バネ端子６８の軸心Ａを中心に突出部６９が回転可能となっている。そのため、第２ハウジング８３に対して第２バネ端子６８を容易に着脱することが可能となり、カラープリンター１のメンテナンス性を高めることが可能となる。
【００４８】
また、第２保持部材４４の係止部９１が第２接続部材４３の突出部６９を係止することで、第２バネ端子６８の前後方向の移動が規制されている。このような構成を採用することで、第２ハウジング８３からの第２バネ端子６８の脱落を抑制することが可能となると共に、第２ハウジング８３に対する第２バネ端子６８の位置ずれを抑制して第２バネ端子６８を正確に位置決めすることが可能となる。
【００４９】
また、第２接続部材４３の突出部６９を第２保持部材４４の係止部９１によって係止する構成であり、第２接続部材４３自体が第２ハウジング８３からの抜け止めを兼ねている。そのため、第２ハウジング８３からの第２バネ端子６８の脱落や第２ハウジング８３に対する第２バネ端子６８の位置ずれを抑制するために第２接続部材４３や第２保持部材４４とは別体の抜け止め部材を用いる必要が無い。そのため、部品点数の増加を抑制し、カラープリンター１の構成を簡易なものとすることが可能となる。
【００５０】
また、第２バネ端子６８の第２小径部７１の前端部７１Ｆｒ（第２バネ端子６８の一端部）は、第１バネ端子４８の第１小径部５１の後端部５１Ｒｒと共に高圧接点Ｂを形成し、突出部６９は、第２バネ端子６８の第２大径部７０の後端部７０Ｒｒ（第２バネ端子６８の一端部とは反対側の端部）から外径側に向かって突出している。このような構成を採用することで、第１バネ端子４８の第１小径部５１の後端部５１Ｒｒによって第２バネ端子６８の第２小径部７１の前端部７１Ｆｒが押圧された場合であっても、第２ハウジング８３からの第２バネ端子６８の脱落や第２ハウジング８３に対する第２バネ端子６８の位置ずれを効果的に抑制することが可能となる。
【００５１】
また、第２バネ端子６８は、圧縮可能なコイルバネで構成される第２大径部７０と、密着巻きのコイルバネで構成され、第２大径部７０よりも外径が小さい第２小径部７１と、を備えている。このような構成を採用することで、第２大径部７０のみによって第２バネ端子６８が構成される場合と比較して、第２バネ端子６８を小型化することが可能となる。これに伴って、第２バネ端子６８を収容する第２ハウジング８３も小型化することができ、第２ハウジング８３の周辺に配置される部材のレイアウトの自由度を高めることが可能となる。
【００５２】
また、本実施形態では、中間転写ベルト６上のトナー像を用紙に二次転写する二次転写ユニット１８をユニットとして用いている。このような構成を採用することで、高圧基板３６から二次転写ユニット１８に高圧電流を確実に供給することが可能となる。
【００５３】
本実施形態では、二次転写ローラー１９を含む二次転写ユニット１８をユニットとして用いる場合について説明したが、他の異なる実施形態では、中間転写ベルト６を含む中間転写ユニット、露光器７を含む露光ユニット、感光体ドラム９を含む感光体ドラムユニット、現像器１１を含む現像ユニット、定着装置２０を含む定着ユニットなどをユニットとして用いても良い。つまり、用紙に対する画像形成処理に用いられるあらゆるユニットをユニットとして用いることができる。
【００５４】
本実施形態では、第２バネ端子６８の第２小径部７１の前端部７１Ｆｒ（第２バネ端子６８の一端部）が第１バネ端子４８の第１小径部５１の後端部５１Ｒｒと共に高圧接点Ｂを形成する場合について説明した。一方で、他の異なる実施形態では、第２バネ端子６８の第２小径部７１の前端部７１Ｆｒ（第２バネ端子６８の一端部）が二次転写ユニット１８や高圧基板３６と共に高圧接点を形成しても良い。
【００５５】
本実施形態では、第２接続部材４３及び第２保持部材４４に本発明の構成を適用する場合について説明したが、他の異なる実施形態では、第１接続部材４０及び第１保持部材４１に本発明の構成を適用しても良い。
【００５６】
本実施形態では、圧縮可能なコイルバネで構成される第１大径部５０と、密着巻きのコイルバネで構成される第１小径部５１と、によって第１バネ端子４８が構成される場合について説明した。一方で、他の異なる実施形態では、圧縮可能なコイルバネのみによって第１バネ端子４８が構成されていても良い。
【００５７】
本実施形態では、圧縮可能なコイルバネで構成される第２大径部７０と、密着巻きのコイルバネで構成される第２小径部７１と、によって第２バネ端子６８が構成される場合について説明した。一方で、他の異なる実施形態では、圧縮可能なコイルバネのみによって第２バネ端子６８が構成されていても良い。
【００５８】
本実施形態では、カラープリンター１に本発明の構成を適用する場合について説明したが、他の異なる実施形態では、モノクロプリンター、複写機、ファクシミリ、複合機等の他の画像形成装置に本発明の構成を適用することも可能である。
【図１】
2016056474.tif 000003
【図２】
2016056474.tif 000004
【図３】
2016056474.tif 000005
【図４】
2016056474.tif 000006
【図５】
2016056474.tif 000007
【図６】
2016056474.tif 000008
【図７】
2016056474.tif 000009
【図８】
2016056474.tif 000010
【図９】
2016056474.tif 000011
【国際調査報告】
2016056474.tif 000012
2016056474.tif 000013